(57)【要約】【課題】サ−バー装置と医療行為の実施記録端末とをネットワーク化した従来の医療業務管理システムではコストが掛かり過ぎるという問題点を解決し、低コストで導入可能な簡便な医療業務管理システムを提供すること。【解決手段】医療業務に関する情報を蓄積し管理するサーバ装置としてのレセプトコンピュータ１と、医療業務実施場所に設置されている医療行為の実施記録端末６とを、通信回線を介して接続することなく独立させ、レセプトコンピュータ１と実施記録端末６との間の情報のやり取りをＲＦＩＤカードＣによって行う【選択図】図１
2010170332.tif 000002
【特許請求の範囲】
【請求項１】
医療業務に関する情報の書換えが可能なＲＦＩＤカードを用いた医療業務管理システムであって、
医療業務に関する情報として、少なくとも患者情報及び医療行為の実施記録を蓄積するレセプトコンピュータと、
レセプトコンピュータから患者情報を取得し、当該患者情報をＲＦＩＤカードに書き込む発行用リーダライタと、
医療業務実施場所において前記レセプトコンピュータと通信回線で接続されることなく独立して設置された実施記録端末と、
実施記録端末の操作により、ＲＦＩＤカードに医療行為の実施記録を書き込む実施記録用リーダライタと、
ＲＦＩＤカードに書き込まれた患者情報及び医療行為の実施記録を読み取ってレセプトコンピュータに送信する会計用リーダライタと
を備えた医療業務管理システム。
【請求項２】
実施記録用リーダライタがＲＦＩＤカードに書き込まれている患者情報を読み取り、当該患者情報を実施記録端末に表示させる請求項１に記載の医療業務管理システム。
【請求項３】
実施記録用リーダライタが、実施記録端末の操作により医療行為の実施記録をＲＦＩＤカードに書き込むと共に、実施記録端末に表示された当該医療行為の実施者、実施日時及び実施場所を含むトレース情報をＲＦＩＤカードに書き込み、
会計用リーダライタが、ＲＦＩＤカードに書き込まれた医療行為の実施記録と共に前記トレース情報を読み取ってレセプトコンピュータに送信する請求項１又は２に記載の医療業務管理システム。
【請求項４】
レセプトコンピュータにレセプトソフトが組み込まれおり、レセプトソフトが、会計用リーダライタによってＲＦＩＤカードから読み取られた医療行為の実施記録を受信し、受信した医療行為の実施記録に基づいて診療報酬を算出する請求項１から３のいずれかに記載の医療業務管理システム。
【発明の詳細な説明】
【技術分野】
【０００１】
本発明は、医療機関において会計時に、医療行為の実施記録をレセプトコンピュータに自動入力することを主目的とした医療業務管理システムに関する。
【背景技術】
【０００２】
近年、医療に関する情報の電子化が進められており、その一つとして医療行為の実施記録をレセプトコンピュータに自動入力することを目的として医療に関する情報を管理する医療業務管理システム、いわゆるオーダーエントリーシステム・電子カルテが知られている。オーダーエントリーシステム・電子カルテとは、主として医療機関毎に設置されたサーバ装置に、医師が患者の治療内容や指示を記録するためのカルテを電子データとして保存しておくものである。
【０００３】
また、医療行為をいつ誰が実施したかを記録し、必要に応じてその情報を抽出できるトレーサビリティシステムを兼ね備えた医療業務管理システムも知られている。このトレーサビリティシステムは、その機能を果たすために、端末による何らかの入出力があった際に、それらの情報をサーバ装置で一元管理し、データベース化する方式が一般的である。
【０００４】
このように従来一般的な医療業務管理システムにおいては、情報をサーバ装置に蓄積するようにしており、このためそのシステム構成は、特許文献１や特許文献２に開示されるように、サーバ装置と医療業務実施場所に設置された医療行為の実施記録端末とを、ネットワーク等の通信回線によって物理的に接続することを前提としていた。
【０００５】
しかし、実施記録端末は複数の箇所に散在しており、これらの実施記録端末による情報の入出力をネットワークによって一元管理するには、各端末間におけるネットワークケーブル（ＬＡＮケーブル）の配線などのインフラ整備が必要である。
【０００６】
また、実施記録端末がネットワークによってサーバ装置に接続されているため、コンピュータウィルス対策を厳重にする必要があり、実施記録端末からの情報の入出力時に患者毎のデータ確認をするなどのセキュリティ対策も厳重にする必要がある。
【０００７】
情報を蓄積するデータベースにおいても、複数の実施記録端末からの同時入力・更新があった場合の対応として、データベースのロッキング対策などを講じる必要がある。
【０００８】
さらに実施記録端末の連携アプリケーションもすべてが一体になったシステムとなるため、システムの進化があるとシステムをすべて同時に更新する必要がある。
【０００９】
このようなことから、従来の医療業務管理システムは、そのシステム構成が巨大化及び複雑化し、システム導入時の初期コスト及び維持コストが膨大となるため、とくに中小病院においてはシステム導入の大きな壁となっている。
【先行技術文献】
【特許文献】
【００１０】
【特許文献１】特開２００４−０４６５８２号公報
【特許文献２】特開２００５−２５９０３３号公報
【発明の概要】
【発明が解決しようとする課題】
【００１１】
本発明が解決しようとする課題は、サーバ装置と医療行為の実施記録端末とをネットワーク化した従来の医療業務管理システムではコストが掛かり過ぎるという問題点を解決し、低コストで導入可能な簡便な医療業務管理システムを提供することにある。
【課題を解決するための手段】
【００１２】
本発明は、医療業務に関する情報を蓄積し管理するサーバ装置としてのレセプトコンピュータと、医療業務実施場所に設置されている医療行為の実施記録端末とを、通信回線を介して接続することなく独立させ、レセプトコンピュータと実施記録端末との間の情報のやり取りをＲＦＩＤ（Radio Frequency Identification）カードによって行うようにしたことを特徴とするものである。
【００１３】
すなわち、本発明は、医療業務に関する情報の書換えが可能なＲＦＩＤカードを用いた医療業務管理システムであって、医療業務に関する情報として、少なくとも患者情報及び医療行為の実施記録を蓄積するレセプトコンピュータと、レセプトコンピュータから患者情報を取得し、当該患者情報をＲＦＩＤカードに書き込む発行用リーダライタと、医療業務実施場所において前記レセプトコンピュータと通信回線で接続されることなく独立して設置された実施記録端末と、実施記録端末の操作により、ＲＦＩＤカードに医療行為の実施記録を書き込む実施記録用リーダライタと、ＲＦＩＤカードに書き込まれた患者情報及び医療行為の実施記録を読み取ってレセプトコンピュータに送信する会計用リーダライタとを備えたことを特徴とするものである。
【００１４】
なお、本発明において「通信回線」とは有線・無線を問わず、通信を可能とする回線を総称するものである。
【００１５】
本発明の医療業務管理システムにおいては、実施記録用リーダライタがＲＦＩＤカードに書き込まれている患者情報を読み取り、当該患者情報を実施記録端末に表示させるようにすることができる。これによって、表示された患者情報と、カルテあるいは伝票に記載された患者情報との一致を確認することにより、患者が正しく本人であることを照合することが可能となる。
【００１６】
また、本発明の医療業務管理システムにおいては、実施記録用リーダライタが、実施記録端末の操作により医療行為の実施記録をＲＦＩＤカードに書き込むと共に、実施記録端末に表示された当該医療行為の実施者、実施日時及び実施場所を含むトレース情報をＲＦＩＤカードに書き込み、会計用リーダライタが、ＲＦＩＤカードに書き込まれた医療行為の実施記録と共に前記トレース情報を読み取ってレセプトコンピュータに送信するようにすることができる。これによって、医療行為の実施者、実施日時及び実施場所といったトレース情報の蓄積が可能となり、必要に応じてそのトレース情報を抽出することが可能となる。
【００１７】
さらに、本発明の医療業務管理システムにおいては、レセプトコンピュータにレセプトソフトを組み込み、レセプトソフトが、会計用リーダライタによってＲＦＩＤカードから読み取られた医療行為の実施記録を受信し、受信した医療行為の実施記録に基づいて診療報酬を算出するようにすることができる。これによって、レセプトソフトに医療行為の実施記録が自動的に入力され、診療報酬の算出業務の効率化が可能となる。
【発明の効果】
【００１８】
本発明の医療業務管理システムでは、各医療業務実施場所の実施記録端末は、有線・無線を問わずレセプトコンピュータと独立しておりネットワーク化する必要がないので、全体のシステム構成が単純化され、低コストでシステムの構築が可能となる。
【００１９】
また、ＲＦＩＤカードを介して情報のやり取りを行うので、実施記録端末には患者の個人情報等を一切残さないようにすることができる。また、実施記録端末は、患者の個人情報等が記憶されているレセプトコンピュータから切り離されているため、実施記録端末において情報漏洩等に対するセキュリティ対策を施す必要はない。さらに、実施記録端末は、実施記録用リーダライタのみを備える必要最小限のハード構成とすることができる。
【００２０】
また、各医療業務実施場所に設置された実施記録端末によりＲＦＩＤカードに情報を書き込む際に、実施場所（当該実施記録用端末の設置場所）、実施者、実施日時等の情報も書き込むことができる。これらの情報は会計時に読み取り、データベースに蓄積することにより、トレース情報として活用することができる。
【００２１】
このように本発明の医療業務管理システムでは、ＲＦＩＤカードにて、会計時に必要となる医療行為の実施記録やトレース情報を伝送しレセプトコンピュータに蓄積することができ、従来の大規模な医療業務管理システムと同様の機能を発揮することができる。しかも、本発明の医療業務管理システムでは、上述のとおり、ネットワークを構築するためのコストや、セキュリティ対策のコスト等が発生しないため、安全かつ低コストにて、優れた機能を発揮する医療業務管理システムを構築することができる。
【図面の簡単な説明】
【００２２】
【図１】本発明の医療業務管理システムの構成図である。
【図２】ＲＦＩＤカードのメモリチップの記憶領域を示す概略図である。
【図３】ＲＦＩＤカード発行処理のフロー図である。
【図４】ＲＦＩＤカード読取処理のフロー図である。
【図５】ＲＦＩＤカード書込処理のフロー図である。
【図６】ＲＦＩＤカードによる会計処理のフロー図である。
【発明を実施するための形態】
【００２３】
以下、図面に示す実施例に基づき本発明の実施の形態を説明する。
【実施例】
【００２４】
図１は本発明の医療業務管理システムの構成図である。
【００２５】
図１において、レセプトコンピュータ１と同ネットワーク上に通信回線（ＬＡＮ）２を設置し、分配機（ＨＵＢ）を介して、ＲＦＩＤカードＣ内の情報の書込が可能な発行用リーダライタ３とＲＦＩＤカードＣ内の情報の読取が可能な会計用リーダライタ４が接続されている。
【００２６】
レセプトコンピュータはレセプト（診療報酬明細書）を作成するコンピュータであり、具体的には患者情報管理・受付機能、医療行為の実施記録の入力・計算・出力機能などを有するソフトウエア（レセプトソフト）が組み込まれたコンピュータである。
【００２７】
本実施例では、レセプトコンピュータ１としては、日本医師会標準レセプトソフト（ＯＲＣＡ）１ａがインストールされたコンピュータ（ＰＣ）を使用した。ＯＲＣＡはオープンソースであり、ソフトウエア本体は無償で提供されているため、外部プログラムとの連携が容易である。
【００２８】
またＯＲＣＡはＣＬＡＩＭ（クレイム）という、ＯＲＣＡと外部プログラムとの連携を行うために規定されたＸＭＬベースの通信プロトコルを持っている。これは主に電子カルテシステムとの連携のために規定されたものである。
【００２９】
図１のレセプトコンピュータ１には、ＯＲＣＡ１ａの他に、発行用リーダライタ３を制御してＲＦＩＤカードＣにデータを書き込む機能を有する発行処理プログラム１ｃと、会計用リーダライタ４を制御してＲＦＩＤカードＣに書き込まれたデータを読み取る機能を有する会計処理プログラム１ｄが組み込まれている。
【００３０】
発行用リーダライタ３は発行プログラム１ｃの制御に従い、ＯＲＣＡのＣＬＡＩＭを用いてＲＦＩＤカードＣに書き込む患者情報等をＯＲＣＡより受信する。また、会計用リーダライタ４は会計処理プログラム１ｄの制御に従い、ＯＲＣＡのＣＬＡＩＭを用いてＲＦＩＤカードＣに書き込まれた医療行為の実施記録等をＯＲＣＡに送信する。これらの患者情報や実施記録は、ＯＲＣＡデータベース１ｂに蓄積される。
【００３１】
なお、上述のＯＲＣＡ１ａ、発行処理プログラム１ｃ及び会計処理プログラム１ｄはそれぞれレセプトコンピュータ１と別のコンピュータ上に存在することも可能である。
【００３２】
各医療業務実施場所には実施記録端末６が設置されている。この実施記録端末６は、レセプトコンピュータ１に一切接続されることなく独立して設置されている。実施記録端末６には、実施記録用リーダライタ５を制御してＲＦＩＤカードＣ内の情報の読取／書込が可能な実施記録処理プログラム６ａが組み込まれている。
【００３３】
実施記録用端末６はタッチパネル式ディスプレイ６ｃを備えたＰＣであり、このタッチパネル式ディスプレイ６ｃには、患者情報等を表示する患者情報表示部６ｄ、実施入力項目を表示する実施入力項目表示部６ｅ、実施記録を行う担当者（実施者）名等のトレース情報を表示するトレース情報表示部６ｆ、及び実施済項目を表示する実施済項目表示部６ｇがある。
【００３４】
このような基本構成において、本発明のシステムでは、レセプトコンピュータ１と実施記録端末６との間の情報のやり取りをＲＦＩＤカードＣを介して行う。
【００３５】
図２はＲＦＩＤカードＣのメモリチップの記憶領域を示す概略図である。ＲＦＩＤカードＣの記憶領域において自由に書換え可能な範囲はアドレス２０〜アドレスＦＦであり、１アドレスに４バイトのデータを記憶することができるため、合計８９６バイトを使用可能である。
【００３６】
アドレス２０にカードを発行した日付を数字８桁で記憶している。アドレス２１〜２２に患者を識別する患者コードを数字１０桁で記憶している。アドレス２３〜２６に患者を識別する名前を記憶している。これらはカードの取り違いを防ぐための患者情報である。
【００３７】
アドレス２７は医療行為の実施記録及びトレース情報が書き込まれているアドレスの位置情報を格納している。初期値は３０であり、これは実施記録及びトレース情報が何も記憶されていない状態である。１件の実施記録及びこれに付随するトレース情報が書き込まれるとアドレス３０〜３３にそのデータが記憶される。次回の実施記録の書き込み位置は３４であり、アドレス２７には３４が上書きされる。
【００３８】
アドレス２８は使用環境を特定するセキュリティコードを記憶している。これは正規に発行されていないカードの誤認を防ぐためである。
【００３９】
アドレス３０〜Ｆ７において、レセプトコンピュータへのデータ入力に必要な実施記録及びトレース情報を記憶している。一回の実施記録及びトレース情報に１６バイトを割り当てている。アドレス３０に実施内容を識別する医療コードを数字４桁で記憶している。アドレス３１に医療行為の数量を少数点含む数字４桁で記憶している。アドレス３２に実施者を識別するコードを数字４桁で記憶している。アドレス３４に実施場所を識別するコード及び時間情報を数字４桁で記憶している。なお、アドレス３０，３１に記憶している情報が実施記録であり、アドレス３２，３３に記憶している情報がトレース情報である。
【００４０】
図１、図２及び図３を参照してＲＦＩＤカードＣの発行処理を説明する。病院側は、初診患者の場合、レセプトコンピュータ１あるいはレセプトコンピュータ１をサーバとしたクライアント端末にて新規登録を行う。その登録内容は患者名、患者番号、保険証番号などであり、これらの登録内容が新規登録によりＯＲＣＡデータベース１ｂに蓄積される。再診患者の場合は、新規登録は行わない。
【００４１】
その後、同端末にて受付登録を行う。受付登録ではＯＲＣＡの受付登録画面に患者番号を入力し、ＯＲＣＡデータベース１ｂに蓄積されている患者情報（患者番号、患者名）を同端末上の画面に表示させる。表示させた後、ＲＦＩＤカードＣを発行用リーダライタ３にセットする。
【００４２】
発行用リーダライタ３は、発行処理プログラム１ｃの制御によってＲＦＩＤカードＣがセットされたことを認識し、ＣＬＡＩＭにより同端末の現在画面に表示されている患者情報（患者番号、患者名）を要求する。そして、発行用リーダライタ３はＣＬＡＩＭにより患者情報を受信した後、まずＲＦＩＤカードＣの初期化を行う。具体的には、アドレス２７を初期値である３０に書き換えると共に、アドレス２８のセキュリティコードに特定のコードを上書きする。次に患者情報（患者番号、患者名）及び現在の日付をＲＦＩＤカードＣの所定のアドレスに上書きする。
【００４３】
このようにして発行されたＲＦＩＤカードＣは、患者に渡される、あるいはカルテに挿入されるなどして、病院内を患者と共に移動する。
【００４４】
次に、各医療業務実施場所に設置された実施記録用端末６における処理を説明する。実施記録用端末６では、それに接続された実施記録用リーダライタ５を使用してＲＦＩＤカードＣ内の情報の読取／書込を行う。
【００４５】
まず、図１、図２及び図４のフロー図を参照して実施記録用端末６によるＲＦＩＤカードＣ内の情報の読取を説明する。
【００４６】
実施記録用端末６のタッチパネル式ディスプレイ６ｃの各表示部６ｄ〜６ｇには、それぞれ患者情報、実施入力項目、トレース情報、実施済項目が表示されている。ＲＦＩＤカードＣの読取前の初期状態では、患者情報表示部６ｄ及び実施済項目表示部６ｇは空白である。また、トレース情報表示部６ｆには医療業務実施場所の名称及び現在の日時が表示されている。実施入力項目６ｅには実施項目ＤＢ６ｂに記憶されている実施入力項目が表示されている。
【００４７】
実施記録を行う担当者（実施者）は、自身を特定する担当者カードＴを実施記録用リーダライタ５で読み取らせる。読み取られた担当者情報（担当者名）は、トレース情報としてトレース情報表示部６ｆに表示される。
【００４８】
次に、ＲＦＩＤカードＣを実施記録用リーダライタ５にセットする。実施記録用リーダライタ５は実施記録処理プログラム６ａの制御に従い、図２のアドレス２８のセキュリティコードを読み取り、正規カードであることを確認する。
【００４９】
続いて実施記録用リーダライタ５は、図２のアドレス２０からアドレス２６までを読み取り、日付、患者コード、患者名を患者情報表示部６ｄに表示する。表示された患者情報と、カルテあるいは伝票に記載された患者情報との一致を確認することにより、患者が正しく本人であることを照合することが可能である。
【００５０】
次に、実施記録用リーダライタ５は図２のアドレス２７のアドレス値を読み取る。このアドレス値は実施記録及びトレース情報を書き込むアドレス位置を示しており、初期値は３０である。そのアドレス値が３０であった場合、実施記録及びトレース情報が１件も書き込まれていないことを示している。アドレス値が３０以外であった場合、他の医療業務実施場所にて、既に実施記録及びトレース情報が書き込まれていることを示している。例えばアドレス値４０の場合、アドレス３０〜３Ｆまでのアドレスに計４件のデータ（実施記録及びトレース情報）が他の医療業務実施場所にて、書き込まれていることを示しており、実施記録用リーダライタ５はそれらを読み取り、実施済項目表示部６ｇに表示する。この実施済項目表示部６ｇを確認することにより、他の医療業務実施場所にてどのような処置が行われたかを確認することが可能である。
【００５１】
次に、図１、図２及び図５のフロー図を参照して実施記録用端末６によるＲＦＩＤカードＣへの情報の書込処理を説明する。
【００５２】
担当者（実施者）は実施入力項目表示部６ｅに表示された実施入力項目のうち、該当する実施項目をタッチパネル式ディスプレイ６ｃをタッチすることにより選択する。数字入力が必要な場合は、数字入力を行う。
【００５３】
実施記録用リーダライタ５は実施記録処理プログラム６ａの制御に従い、選択された実施項目に紐付けられた医療コード及び入力された数字（数量）を実施記録としてアドレス２７が示すアドレス位置に書き込む。また、トレース情報表示部６ｆに表示された担当者情報（担当者名）、医療業務実施場所の名称及び現在の日時をトレース情報として書き込む。なお、実施項目と医療コードとの紐付けは、例えば実施項目と医療コードとを対応させたデータベースを参照することによって行う。
【００５４】
次にアドレス２７に次の位置情報を上書きする。例えばアドレス２７の値が３０であった場合は、アドレス３０〜３３に実施記録及びトレース情報を記録するため、アドレス２７の値は３４が書き込まれる。
【００５５】
複数の実施記録を行う場合は、上記を繰り返す。このようにして、実施記録及びトレース情報の書込が終了する。
【００５６】
書込が終了後、ＲＦＩＤカードＣは実施記録用リーダライタ５から取り外され、患者と共に次の医療業務実施場所あるいは会計へと移動する。
【００５７】
次に、図１、図２及び図６を参照してＲＦＩＤカードＣを利用した会計処理について説明する。
【００５８】
会計処理の際、患者は会計用リーダライタ４が設置されている会計窓口にＲＦＩＤカードＣを提出する。会計担当者は、そのＲＦＩＤカードＣを会計用リーダライタ４にセットする。
【００５９】
会計用リーダライタ４は、会計処理プログラム１ｄの制御によってＲＦＩＤカードＣを認識し、まずアドレス２８に書き込まれているセキュリティコードを読み取り、正規カードであることを確認する。次にアドレス２１〜２２に書き込まれている患者コードを読み取る。次にアドレス２７に書き込まれている実施記録のアドレス値を読み取り、書き込まれている全ての実施記録の医療コード、数量を読み取る。そして、ＣＬＡＩＭを利用して、ＯＲＣＡに患者コード、全ての医療コード及び数量を送信する。
【００６０】
ＯＲＣＡの通常の会計処理を説明する。ＯＲＣＡの「（Ｍ０１）業務メニュー」より「２１ 診療行為」を選択し、「(Ｋ０２)診療行為入力」画面を表示する。まず患者番号を入力し、患者情報を表示させた後、医療コード、あるいは短縮コードと呼ばれる予め設定したコードを入力し、診療名称を表示する。必要に応じて数量を入力する。入力が完了した後、「登録（Ｆ１２）」をクリックすることにより、「（Ｋ０８）診療行為入力―入力行為確認」画面が表示される。ここで「登録（Ｆ１２）」をクリックすることにより、ＯＲＣＡデータベース１ｂに診療行為が登録され、診療報酬の算出を行う。
【００６１】
本発明の医療業務管理システムを適用した場合は、会計用リーダライタ４がＲＦＩＤカードＣから読み取ったデータをＣＬＡＩＭによりＯＲＣＡに送信する。その後、ＯＲＣＡの「(Ｋ０２)診療行為入力」画面にて、「中途表示」をクリックする。「中途表示」とはＯＲＣＡが有する電子カルテなどの外部システムから受信したデータを呼び出す機能である。「中途表示」をクリックすると、ＲＦＩＤカードＣから読み取ったデータの一覧がＯＲＣＡの画面に表示される。該当のデータを選択し、「Ｆ１２  確定」をクリックすると、「（Ｋ０２）診療行為入力」画面に戻る。このとき、ＲＦＩＤカードＣから読み取った実施記録が診療行為として入力されている。すなわち、本発明の医療業務管理システムにより、紙伝票やカルテ入力に記載された患者情報や診療行為を入力する作業が自動化される。
【００６２】
以上は、実施記録端末６が１台の場合を説明したが、複数台の実施記録端末６を設置したときも同一の手順で実施することが可能であり、通信回線による接続が不要であるので、制限されることはない。
【００６３】
また、会計用リーダライタ４は会計処理プログラム１ｄの制御に従い、ＲＦＩＤカードＣからトレース情報も併せて読み取る。トレース情報はトレース情報用ＤＢ１ｆに記憶される。これにより、過去の診療行為を行った日時、担当者、実施場所を特定することが可能となる。なお、トレース情報用ＤＢ１ｆの情報を参照する端末は、レセプトコンピュータ１、あるいは同ネットワーク上にあるコンピュータ（ＰＣ）である。
【００６４】
以上説明した本発明の医療業務管理システムは、ネットワークに拠らず情報を伝達する手段として、必要充分なメモリ容量を持ち、かつ書換えが可能なＲＦＩＤカードを利用するものである。本実施例におけるＲＦＩＤカードＣの記憶容量は先に説明したとおり８９６バイトであり、患者情報やセキュリティコードなどに３６バイト、一回の実施記録及びトレース情報を１６バイトとした結果、５０回の実施記録及びトレース情報を記憶することが可能であった。
【符号の説明】
【００６５】
１  レセプトコンピュータ
１ａ  ＯＲＣＡ（日本医師会標準レセプトソフト）
１ｂ  ＯＲＣＡデータベース
１ｃ  発行処理プログラム
１ｄ  会計処理プログラム
１ｆ  トレース情報用データベース
２  ＬＡＮ（ネットワーク）
３  発行用リーダライタ
４  会計用リーダライタ
５  実施記録用リーダライタ
６  実施記録端末（タッチパネルＰＣ）
６ａ  実施記録処理プログラム
６ｂ  実施項目データベース
６ｃ  タッチパネル式ディスプレイ
６ｄ  患者情報表示部
６ｅ  実施入力項目表示部
６ｆ  トレース情報表示部
６ｇ  実施済項目表示部
Ｃ  ＲＦＩＤカード
Ｔ  担当者カード
【図１】
2010170332.tif 000003
【図２】
2010170332.tif 000004
【図３】
2010170332.tif 000005
【図４】
2010170332.tif 000006
【図５】
2010170332.tif 000007
【図６】
2010170332.tif 000008